(57)【要約】【課題】内層部材の設置作業を簡便化し、かつ、作業完了後においても長期に亘って耐久性のある管の内層構造に用いる内層部材を提供すること。【解決手段】内面材連接材（ファスナー）２２の係止部の２つの突条２２ａの間に、側端部を突き合わせた内面材２１の間を貫通する管軸方向に延びる中間突条２２ｇと、この中間突条２２ｇの先端に係止片２２ｈとを備える中間係止部を形成し、内面材連接材（ファスナー）２２を介して、側端部を突き合わせた内面材２１同士を連接した状態で、中間係止部の中間突条２２ｇの係止片２２ｈが、突き合わせた内面材２１の外周側の側端縁（被係止部）に係止する。【選択図】図２
2020197089.tif 000002
【特許請求の範囲】
【請求項１】
管の管軸方向に延びる内面材及び内面材連接材からなり、
内面材は、両端部に管軸方向に延びる突条と、該突条の先端に被係止片とを備える被係止部を有し、
内面材連接材は、管軸方向に延びる２つの突条と、該突条の先端に係止片とを備える係止部を有し、
側端部を突き合わせた内面材同士を、該内面材の被係止部に内面材連接材の係止部を係止することによって、内面材連接材を介して連接する管の内層部材において、
内面材連接材の２つの突条の間に、側端部を突き合わせた内面材の間を貫通する管軸方向に延びる中間突条と、該中間突条の先端に係止片とを備える中間係止部を有し、
内面材連接材を介して、側端部を突き合わせた内面材同士を連接した状態で、中間係止部の中間突条の係止片が、突き合わせた内面材の側端縁に係止するようにしてなる
ことを特徴とする管の内層部材。
【請求項２】
前記内面材連接材の係止部の突条が、先端に向かう方向における中間位置で内面材の被係止部と反対側に凸状に膨らむ形で湾曲又は屈曲し、内面材に形成された溝の中に挿入されたとき、凸状に膨らむ突条の凸状壁と溝の側壁との間に空間部が形成されている
ことを特徴とする請求項１に記載の管の内層部材。
【請求項３】
前記中間係止部の先端に、管軸方向に延びるアンカー片を延設してなる
ことを特徴とする請求項１又は２に記載の管の内層部材。
【発明の詳細な説明】
【技術分野】
【０００１】
本発明は、管の管軸方向に延びる内面材及び内面材連接材からなる管の内層部材に関し、特に、下水道管等の比較的大口径の既設管の補修に適した管の内層部材に関するものである。
【背景技術】
【０００２】
従来、老朽化した下水道管等の既設管の補修に適した内面材を用いた管の内層構造が数多く提案されている。
【０００３】
その一例として、本件出願人が提案した、経済的な部材を用い、その組み立ての手間を省いて設置作業を簡便化し、かつ、作業完了後においても長期に亘って耐久性のある管の内層構造がある（特許文献１参照。）。
この管の内層構造は、既設管の内周面の周方向に沿って、管軸方向に所定の間隔をあけて配設した剛性リングと、これら剛性リングの内側に跨るように管軸方向に、剛性リングの周方向に所定の間隔をあけて配設した既設管の中心側に所定の間隔をあけて形成した切欠きを有する剛性直材と、該剛性直材の切欠きに対応する突条を有する帯状の合成樹脂製内面材とからなり、前記合成樹脂製内面材の突条を剛性直材の切欠きに嵌着することにより、合成樹脂製内面材を既設管の内周面の周方向に沿って、かつ、管軸方向に隙間なく順次配設し、既設管と合成樹脂製内面材との間に生じる空隙に硬化性充填材を充填するものである。
【０００４】
ところで、特許文献１の管の内層構造は、合成樹脂製内面材が既設管の内周面の周方向に沿って配設されるものであるため、内面材を管軸方向に凹凸を生じないように精度高く配設することができず、既設管路の補修長が長くなるに従い、内面材の配設の手数がかかるという問題があった。
【０００５】
この問題に対処するため、本件出願人は、図１に示すように、管Ｐの内周面に沿って、管軸方向に間隔をあけて設置したリング状の固定部材３０と、この固定部材３０に配設した、内層部材２０が嵌着される嵌着部を備えた内面材固定部材１０と、この内面材固定部材１０の嵌着部に嵌着して、管軸方向に隣接するリング状の固定部材３０に配設した内面材固定部材１０に架設した帯状の内層部材２０とからなる管の内層構造を提案した（特許文献２〜３参照。）。
ここで、内層部材２０は、例えば、合成樹脂製の帯状のパネルからなる内面材２１と、内面材連接材（ファスナー）２２とを組み合わせて用いることで、内面材固定部材１０に嵌着して取り付けられる隣接する内面材２１同士を、内面材連接材（ファスナー）２２によって結合するようにされている。
なお、管Ｐの内周面と内層部材２０の隙間には、内層部材２０の設置後、硬化材が充填されて硬化層４０が形成される。
【先行技術文献】
【特許文献】
【０００６】
【特許文献１】特開２００６−３１６５３９号公報
【特許文献２】特開２０１４−７０４２１号公報
【特許文献３】特開２０１８−５５５１７号公報
【発明の概要】
【発明が解決しようとする課題】
【０００７】
特許文献２〜３で開示した管の内層構造に用いられる内層部材は、特許文献１の管の内層構造の有する問題点を解消するものであったが、反面、内面材連接材の嵌合爪が、管軸方向に平板状に延びる突条２２ａと、この突条２２ａの先端に係止片２２ｂを備えた形状をしているため、以下の課題があった。
・係止施工後、経年の使用中に他の工事等により局所的に想定外の外力が加わり、部材が破損等した場合、係止状態が解除され、これが伝播するおそれがある。
・係止する際に、温度等の環境（特に低温の場合）によっては、内面材連接材の嵌合爪が内面材の嵌合爪に係止しづらい場合があり、この場合、係止状態の確認に時間を要することがある。
・内面材連接材の嵌合爪を内面材の嵌合爪に係止する際に、特に低温の場合には、内面材連接材の嵌合爪が内面材の嵌合爪に当接した際の反力が大きく、係止に大きな押圧力を必要とし、作業性が低下する。
【０００８】
本発明は、このような実情に鑑みてなされたもので、想定外の外力が加わることによって部材が破損等した場合でも、係止状態が解除されて伝播することがなく、かつ、内層部材の設置作業を簡便化することができる内層部材を提供することを目的とする。
【課題を解決するための手段】
【０００９】
上記目的を達成するため、本発明の管の内層部材は、管の管軸方向に延びる内面材及び内面材連接材からなり、内面材は、両端部に管軸方向に延びる突条と、該突条の先端に被係止片とを備える被係止部を有し、内面材連接材は、管軸方向に延びる２つの突条と、該突条の先端に係止片とを備える係止部を有し、側端部を突き合わせた内面材同士を、該内面材の被係止部に内面材連接材の係止部を係止することによって、内面材連接材を介して連接する管の内層部材において、内面材連接材の２つの突条の間に、側端部を突き合わせた内面材の間を貫通する管軸方向に延びる中間突条と、該中間突条の先端に係止片とを備える中間係止部を有し、内面材連接材を介して、側端部を突き合わせた内面材同士を連接した状態で、中間係止部の中間突条の係止片が、突き合わせた内面材の側端縁に係止するようにしてなることを特徴とする。
【００１０】
この場合において、前記内面材連接材の係止部の突条が、先端に向かう方向における中間位置で内面材の被係止部と反対側に凸状に膨らむ形で湾曲又は屈曲し、内面材に形成された溝の中に挿入されたとき、凸状に膨らむ突条の凸状壁と溝の側壁との間に空間部が形成されるようにすることができる。
【００１１】
また、前記中間係止部の先端に、管軸方向に延びるアンカー片を延設してなるようにすることができる。
【発明の効果】
【００１２】
請求項１に係る発明によれば、内層部材の設置作業を簡便化し、かつ、作業完了後においても長期に亘って耐久性のある管の内層構造及びそれに用いる管の内層部材を提供することができる。
より具体的には、本発明の管の内層部材によれば、以下の効果が発揮される。
・内面材の被係止部に内面材連接材の係止部を係止することによって、内面材連接材を介して連接することに加えて、内面材連接材を介して、側端部を突き合わせた内面材同士を連接した状態で、中間係止部の中間突条の係止片が、突き合わせた内面材の側端縁に係止するようにすることによって、内面材と内面材連接材とが確実に係止されることで、例えば、係止後、内面材や内面材連接材に想定外の外力がかかったとしても、係止状態が解除されることを防止することができる。
【００１３】
また、請求項２に係る発明によれば、さらに、以下の効果が発揮される。
・支点と力点との距離が長くなり係止部が開きやすくなるとともに、係止部との間に広く空間が確保でき係止部と被係止部とが干渉しにくくなるため、小さな押圧力で容易に係止可能となる。
・係止部と被係止部との間に広く空間が確保でき、係止部と被係止部とが干渉しにくくなるとともに、湾曲又は屈曲した係止部が係止する際に、（管の略周方向における）湾曲又は屈曲した向きと反対向き及び（管の略内径方向における）突条の基端側の向き（係止方向）へ復元するため、係止が確実となる。
・係止部と被係止部との間に広く空間が確保でき、湾曲又は屈曲した係止部はそれぞれ対応する係止部と接触しにくくなるため、係止後に係止部と被係止部とが変位しても変位を緩衝でき、係止状態を維持することができる。
【００１４】
また、請求項３に係る発明によれば、さらに、以下の効果が発揮される。
・内層部材の設置後、管の内周面と内層部材の隙間に充填して形成される硬化材からなる硬化層中に、アンカー片が埋設され、引抜方向の外力に対して抵抗力を発揮することで、例えば、係止後、内面材や内面材連接材に想定外の外力がかかったとしても、係止状態が解除されることを防止することができる。
【図面の簡単な説明】
【００１５】
【図１】従来の管の内層構造を示し、（ａ）は管の横断面図、（ｂ）はその要部の拡大図である。
【図２】本発明の管の内層部材の一実施例を示す説明図である。
【図３】同管の内層部材の突条の実施例を示し、（ａ）は湾曲した突条を、（ｂ）は屈曲した突条を、それぞれ示す説明図である。
【図４】同管の内層部材の係止片及び被係止片の実施例を示し、（ａ）は係止面及び被係止面が面形状の係止片及び被係止片を、（ｂ）は係止面及び被係止面に凸部を設けた係止片及び被係止片を、それぞれ示す説明図である。
【図５】同管の内層部材の第１変形実施例を示す説明図である。
【図６】同管の内層部材の第２変形実施例を示す説明図である。
【発明を実施するための形態】
【００１６】
以下、本発明の管の内層部材の実施の形態を、図面に基づいて説明する。
【００１７】
図２〜図３に、本発明の本発明の管の内層部材の一実施例を示す。
この管の内層部材は、図１に示す従来の管Ｐの内層構造に用いる管の内層部材と同様、管の内層部材２０を、合成樹脂製の帯状のパネルからなる内面材２１と、内面材連接材（ファスナー）２２とを組み合わせて用いることで、内面材固定部材（図示省略）に嵌着して取り付けられる隣接する内面材２１同士を、内面材連接材（ファスナー）２２によって結合するようにしたものである。
【００１８】
この場合において、内面材２１は、管軸方向に延びる突条２１ａと、この突条２１ａの先端に管軸方向に延びる被係止片２１ｂとを備える被係止部を有し、内面材連接材（ファスナー）２２は、管軸方向に延びる突条２２ａと、この突条２２ａの先端に管軸方向に延びる係止片２２ｂとを備える係止部を有するようにしている。
ここで、「係止」、「被係止」は、相対的な呼び方で、見方によっては逆に捉えることも可能であるが、本実施例においては、挿入側となる内面材連接材（ファスナー）２２に「係止」の語を、被挿入側（固定側）となる内面材２１に「被係止」の語を、それぞれ使用することとしている。
そして、内面材連接材（ファスナー）２２の係止部の突条２２ａは、図２に示すように、先端に向かう方向における中間位置で内面材２１の被係止部と反対側に凸状に膨らむ形で湾曲して形成されている。本実施例においては、内面材２１に溝が形成されるようにしている。この内面材２１に形成された溝の中に内面材連接材（ファスナー）２２の係止部の突条２２ａが挿入されたとき、凸状に膨らむ突条２２ａの凸状壁と溝の側壁との間に空間部２１ｃが形成されるようにしている。
そして、このように係止部の突条２２ａが湾曲していることで、係止部の突条２２ａと被係止片２１ｂとの間に広い空間を形成することができる。
また、内面材連接材（ファスナー）２２の係止部と内面材２１の被係止部とが係止する際には、内面材連接材（ファスナー）２２の係止部は、係止片２２ｂが被係止部の被係止片２１ｂの外面の形状に沿って滑りつつ、２つの係止片２２ｂ、２２ｂ間の距離が広がりながら、突条２２ａの弾性変形を伴って、係止片２２ｂが湾曲面２１ｄを通過すると、２つの係止片２２ｂ、２２ｂ間の距離が狭まって内面材２１の被係止部と係止する。空間部２１ｃが形成されるようにすることで、係止時の係止部の動きは制限されない。
ここで、内面材連接材（ファスナー）２２の係止部の突条２２ａを、図３（ｂ）に示すように、湾曲ではなく、屈曲するように形成することもできる。
なお、内面材連接材（ファスナー）２２の係止部の突条２２ａの湾曲形状や屈曲形状は、１段階だけでなく、多段階で湾曲させたり、屈曲させるほか、湾曲と屈曲を組み合わせた形状とすることもできる。
【００１９】
また、図２に示すように、内面材２１及び内面材連接材（ファスナー）２２は、管Ｐの略周方向に幅を有する本体部２１ｆ、２２ｆを有し、被係止部の突条２１ａと係止部の突条２２ａは、それぞれ本体部２１ｆ、２２ｆから突設され、湾曲又は屈曲した係止部の突条２２ａの両側面は、内面材連接材（ファスナー）２２の本体部との接続部から、下方に向けて延びるように形成されている。一方、内面材２１の突条２１ａは、本体部から上方に向けて延びるように形成されている。
【００２０】
また、内面材２１の被係止片２１ｂ及び内面材連接材（ファスナー）２２の係止片２２ｂは、先端側に湾曲面２１ｄ、２２ｄを具備し、被係止片２１ｂの湾曲面２１ｄと係止片２２ｂの湾曲面２２ｄとは摺動して、係止片２２ｂと被係止片２１ｂとが管Ｐの内径方向に相対的に変位するようにしている。
【００２１】
また、内面材２１の被係止片２１ｂは内面材連接材（ファスナー）２２の係止片２２ｂと係止する面形状の被係止面２１ｅを、内面材連接材（ファスナー）２２の係止片２２ｂは被係止片２１ｂと係止する面形状の係止面２２ｅを具備し、内面材２１の被係止部と内面材連接材（ファスナー）２２の係止部とが係止した状態において、被係止片２１ｂの被係止面２１ｅは内面材２１の被係止部の突条２１ａ側に向かう面を有し、係止片２２ｂの係止面２２ｅは内面材連接材（ファスナー）２２の係止部の突条２２ａ側に向かう面を有するようにしている。
ここで、図４（ｂ）に示すように、内面材２１の被係止片２１ｂの被係止面２１ｅ及び内面材連接材（ファスナー）２２の係止片２２ｂの係止面２２ｅに凸部を設けることもでき、これにより、係止状態をより強固にして、当該状態が解除されることを防ぐことができる。
【００２２】
ところで、図２に示すように、内面材連接材（ファスナー）２２は、内面材連接材（ファスナー）２２の係止部の２つの突条２２ａの間に、側端部を突き合わせた内面材２１の間を貫通する管軸方向に延びる中間突条２２ｇと、この中間突条２２ｇの先端に係止片２２ｈとを備える中間係止部を有するようにしている。
これにより、内面材連接材（ファスナー）２２を介して、側端部を突き合わせた内面材２１同士を連接した状態で、中間係止部の中間突条２２ｇの係止片２２ｈが、突き合わせた内面材２１の外周側の側端縁（被係止部）に係止するようにしている。
【００２３】
また、内面材２１と内面材連接材（ファスナー）２２の間、本実施例においては、内面材２１の被係止片２１ｂと内面材連接材（ファスナー）２２の係止部の突条２２ａで囲まれた内天面の間には、エラストマー製等の止水材２３を介在するようにしている。
【００２４】
上記構造によって、以下の効果が発揮される。
・内面材２１の被係止部に内面材連接材（ファスナー）２２の係止部を係止することによって、内面材連接材（ファスナー）２２を介して連接することに加えて、内面材連接材（ファスナー）２２を介して、側端部を突き合わせた内面材２１同士を連接した状態で、中間係止部の中間突条２２ｇの係止片２２ｈが、突き合わせた内面材２１の側端縁に係止するようにすることによって、内面材２１と内面材連接材（ファスナー）２２とが確実に係止されることで、例えば、係止後、内面材２１や内面材連接材（ファスナー）２２に設計以上の過大な外力がかかった場合でも、係止状態が解除されることを防止することができる。
・係止部の突条２２ａは、先端に向かう方向における中間位置で内面材２１の被係止部と反対側に凸状に膨らむ形で湾曲又は屈曲することで、支点と力点との距離が長くなり係止部が開きやすくなるとともに、係止部と被係止部との間に広く空間が確保でき係止部と被係止部とが干渉しにくくなるため、より小さな押圧力で容易に係止可能となる。
・湾曲面２１ｄ、止水材２３及び突条２２ａに囲まれた空間を広く確保でき、係止部と被係止部とが干渉しにくくなるとともに、係止する際に、（管の略周方向における）湾曲又は屈曲した向きと反対向き及び（管の略内径方向における）突条の基端側の向き（係止方向）へ復元するため、係止が確実となる。
・湾曲面２１ｄ、止水材２３及び突条２２ａに囲まれた空間を広く確保でき、湾曲又は屈曲した係止部又は被係止部にそれぞれ対応する被係止部又は係止部は、被係止面２１ｅと係止面２２ｅの当接を妨げるものがなく、被係止面２１ｅと係止面２２ｅが接触しやすくなり、係止後に係止部と被係止部とが変位しても変位を緩衝でき、係止状態を維持しやすくなる。
・係止部の突条が本体部との接続部から傾斜して形成されていることで、係止部が開きやすく、係止作業時に要する力が小さくなり、作業性が向上する。
・被係止片２１ｂの湾曲面２１ｄと係止片２２ｂの湾曲面２２ｄとが摺動することでスムーズに管Ｐの内径方向に変位することができるため、係止作業時に要する力が小さくなり、作業性が向上する。
・被係止片２１ｂの被係止面２１ｅは被係止部の突条２１ａ側に向かう面を有し、係止片２２ｂの係止面２２ｅは係止部の突条２２ａ側に向かう面を有するようにすることにより、内径方向の動きに加えて、周方向の動きも規制できるため、係止状態が安定して、当該状態が解除されることを防ぐことができる。
そして、これらの効果が発揮されることによって、内層部材２０の設置作業を簡便化し、かつ、作業完了後においても長期に亘って耐久性のある管の内層構造及びそれに用いる管の内層部材を提供することができる。
【００２５】
また、内面材連接材（ファスナー）２２の係止部の突条２２ａは、湾曲や屈曲させた形状のほか、図５に示す、本発明の管の内層部材の第１変形実施例のように、突条２２ａが先端に向かう方向に直線状に延び、その先端に係止片２２ｂを設け、２つの突条２２ａ、２２ａの間に中間突条２２ｇを設けるようにすることもできる。
本実施例の内面材連接材と内面材２１の突条２１ａを係合する場合、突条２２ａが湾曲していないので、実施例１の内面材連接材を使用した場合に比べて、係合に必要な押圧力が大きくなる傾向にある。一方で係合後は強固な係合を維持できる点で好ましい。
なお、この第１変形実施例のその他の構成及び作用は、図２〜図３に示した実施例と同様である。
【００２６】
さらに、図６に示す、本発明の管の内層部材の第２変形実施例のように、内面材連接材（ファスナー）２２の中間係止部の中間突条２２ｇの係止片２２ｈの先端に、管軸方向に延びるアンカー片２２ｉを延設してなるようにすることができる。
アンカー片２２ｉは、凹凸状に形成したり、先端に突条２２ｊを形成したりすることで、硬化層４０との付着力を増大させることができる。
ここで、突条２２ｊを含むアンカー片２２ｉの厚さ方向の寸法は、中間係止部の中間突条２２ｇの係止片２２ｈの厚さ方向の寸法と同じか、それより若干小さく設定することが好ましい。
これにより、内層部材２０の設置後、管Ｐの内周面と内層部材２０の隙間に充填して形成される硬化材からなる硬化層４０中に、アンカー片２２ｉが埋設され、引抜方向の外力に対して抵抗力を発揮することで、例えば、係止後、内面材２１や内面材連接材（ファスナー）２２に力がかかった際に、係止状態が解除されることを防止することができる。
なお、この第２変形実施例のその他の構成及び作用は、図２〜図３に示した実施例と同様である。
【００２７】
以上、本発明の管の内層部材について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２８】
本発明の管の内層部材は、内層部材の設置作業を簡便化し、かつ、作業完了後においても長期に亘って耐久性のある管の内層構造を提供することができることから、下水道管等の比較的大口径の既設管の補修に適した内面材を用いた管の内層構造に用いる内層部材の用途に好適に用いることができる。
【符号の説明】
【００２９】
１０  内面材固定部材
２０  内層部材
２１  内面材
２１ａ  突条
２１ｂ  被係止片
２１ｃ  溝状の空間部
２１ｄ  湾曲面
２１ｅ  被係止面
２１ｆ  本体部
２２  内面材連接材（ファスナー）
２２ａ  突条
２２ｂ  係止片
２２ｄ  湾曲面
２２ｅ  係止面
２２ｆ  本体部
２２ｇ  中間突条
２２ｈ  係止片
２２ｉ  アンカー片
２２ｊ  突条
２３  止水材
３０  固定部材
４０  硬化層
Ｐ  管
【図１】
2020197089.tif 000003
【図２】
2020197089.tif 000004
【図３】
2020197089.tif 000005
【図４】
2020197089.tif 000006
【図５】
2020197089.tif 000007
【図６】
2020197089.tif 000008